(57)【要約】【課題】  本発明は、両側ライト仕様の液晶表示装置および片側ライト仕様の液晶表示装置の両方に対応できるフレームを有し、製造コストの削減を図ることができる液晶表示装置等を提供する。【解決手段】  本発明に係わる液晶表示装置１００の一実施例では、金属フレーム１と金属フレーム２とを備えている。金属フレーム１および金属フレーム２には、各々開口部１ｅ，１ｇ，１ｈおよび開口部２ｄ，２ｅが穿設されている。そして、金属フレーム１と金属フレーム２との嵌め合わせ方向を変えることにより、当該嵌め合わせ状態において、連通した開口部の数を変化させることができる。【選択図】  図１
2006337779.tif 000002
【特許請求の範囲】
【請求項１】
第一のフレームと、前記第一のフレームと嵌め合わせ可能な第二のフレームとを、備えており、
前記第一のフレームおよび前記第二のフレームには、各々、嵌め合わせ状態で連通可能な開口部が穿設されており、
前記第一のフレームと前記第二のフレームとの嵌め合わせ方向を変えることにより、当該嵌め合わせ状態において、連通した開口部の数を変化させることができる、
ことを特徴とする液晶表示装置。
【請求項２】
前記連通した開口部は、
液晶パネルへの光照射を行うライトの挿通が可能である、
ことを特徴とする請求項１に記載の液晶表示装置。
【請求項３】
前記第一のフレームに穿設されている開口部は、複数であり、
前記複数の開口部には、
前記第一のフレームに形成されたミシン目を、当該ミシン目に沿って切り取ることにより、形成される開口部を含んでいる、
ことを特徴とする請求項２に記載の液晶表示装置。
【請求項４】
前記第一のフレームは、
前記液晶パネルの周辺部をその表側からを覆うフレームである、
ことを特徴とする請求項２に記載の液晶表示装置。
【請求項５】
導光板を、さらに備えており、
前記第一のフレームは、
少なくとも前記導光板の周辺部をその表側からを覆うフレームである、
ことを特徴とする請求項２に記載の液晶表示装置。
【発明の詳細な説明】
【技術分野】
【０００１】
この発明は、液晶表示装置に係る発明であり、たとえば、エッジライト型の液晶表示装置に適用することができる。
【背景技術】
【０００２】
たとえば、特許文献１に開示されているようなエッジライト型液晶表示装置には、たとえば、両側ライト仕様のものと、片側ライト仕様のものとがある。ここで、両側ライト仕様の液晶表示装置とは、当該液晶表示装置の両端辺部付近に、ライトを設置しているタイプの液晶表示装置である。また、片側ライト仕様の液晶表示装置とは、当該液晶表示装置の一方の端辺部付近にのみ、ライトを設置しているタイプの液晶表示装置である。
【０００３】
また、上記両仕様の液晶表示装置を製造する場合、従来、同じ仕様のフレームを使用していた。つまり、両側ライト仕様の液晶表示装置を製造する場合においても、また、片側ライト仕様の液晶表示装置を製造する場合においても、端部付近に二つの開口部を有するフレームを使用していた。ここで、当該フレームは、液晶パネル等を保護するための筐体を構成する部材であり、上記開口部は、ライトユニットの挿通が可能である。
【０００４】
両側ライト仕様の液晶表示装置を製造する場合には、上記フレームの両開口部にライトユニットを各々挿通する。これに対して、片側ライト仕様の液晶表示装置を製造する場合には、上記フレームの一方の開口部にのみライトユニットを挿通する。
【０００５】
このように、どちらの仕様の液晶表示装置に対しても、同じフレームを使用することにより、製造コストの削減を図っていた。
【０００６】
なお、上記フレームを使用して、片側ライト仕様の液晶表示装置を製造する場合には、当該フレームの他方の開口部は、開口状態のままとなる。当該開口状態のまま放置していると、当該開口部から異物が進入し、液晶表示装置の表示品位を損ね得る。
【０００７】
そこで、従来では、当該開口状態の他方の開口部を塞ぐため、別途、部品を製造し、当該部品を用いて、当該他方の開口部を塞いでいた。
【０００８】
【特許文献１】特開２００１−２２２００８号公報
【発明の開示】
【発明が解決しようとする課題】
【０００９】
ところが、上記のように、開口部を塞ぐために、別途部品を作成したのでは、製造コストが高くなるという問題が生じる。
【００１０】
そこで、本発明は、余分な部品を用いずに、両側ライト仕様の液晶表示装置および片側ライト仕様の液晶表示装置の両方に対応できるフレームを有し、製造コストの削減を図ることができる、液晶表示装置を提供することを目的とする。
【課題を解決するための手段】
【００１１】
上記の目的を達成するために、本発明に係る請求項１に記載の液晶表示装置は、第一のフレームと、前記第一のフレームと嵌め合わせ可能な第二のフレームとを、備えており、前記第一のフレームおよび前記第二のフレームには、各々、嵌め合わせ状態で連通可能な開口部が穿設されており、前記第一のフレームと前記第二のフレームとの嵌め合わせ方向を変えることにより、当該嵌め合わせ状態において、連通した開口部の数を変化させることができる。
【発明の効果】
【００１２】
本発明の請求項１に記載の液晶表示装置は、第一のフレームと、前記第一のフレームと嵌め合わせ可能な第二のフレームとを、備えており、前記第一のフレームおよび前記第二のフレームには、各々、嵌め合わせ状態で連通可能な開口部が穿設されており、前記第一のフレームと前記第二のフレームとの嵌め合わせ方向を変えることにより、当該嵌め合わせ状態において、連通した開口部の数を変化させることができるので、液晶表示装置の組み立ての際に、第一のフレームの向きを変更するだけで、同じ部品を用いて、両側ライト仕様の液晶表示装置および片側ライト仕様の液晶表示装置を完成させることができる。また、本発明に係わる液晶表示装置では、片側ライト仕様で液晶表示装置を組み立てたとしても、余分な部品を用いること無く、内部まで貫通する余分な開口部を塞ぐことができる。つまり、製造コストの削減が可能となる。
【発明を実施するための最良の形態】
【００１３】
本発明に係わる液晶表示装置は、以下に示す構成を有する、第一のフレームと、第一のフレームと嵌め合わせ可能な第二のフレームとを、備えている。
【００１４】
第一のフレームおよび第二のフレームには、各々、開口部が穿設されている。各当該開口部は、嵌め合わせ状態で連通可能である。また、第一のフレームと第二のフレームとの嵌め合わせ方向を変えることにより、当該嵌め合わせ状態において、連通した開口部の数を変化させることができる。
【００１５】
以下、この発明をその実施の形態を示す図面に基づいて具体的に説明する。
【００１６】
＜実施の形態１＞
本実施の形態に係わる液晶表示装置の分解斜視図を、図１に示す。
【００１７】
図１に示すように、本実施の形態に係わる液晶表示装置１００は、金属フレーム１、金属フレーム２、液晶パネル３、樹脂フレーム４、複数の光学シート５、導光板６、反射シート７、およびライトユニット８により、構成されている。ここで、図１は、片側ライト仕様として、液晶表示装置１００を組み立てる場合を表している分解斜視図である。
【００１８】
金属フレーム１，２により、液晶パネル３等を覆う、液晶表示装置１００の筐体を構成している。具体的に、金属フレーム１は、液晶パネル３等の周辺部をその表側から覆う、フレームである。これに対して、金属フレーム２は、液晶パネル３等の周辺部をその裏側から覆う、フレームである。したがって、当該液晶表示装置１００の組み立て状態（嵌め合わせ状態）において、金属フレーム１と金属フレーム２との間には、上記各部品３〜８が各々配設されている。
【００１９】
金属フレーム１は、図１に示すように、外郭が方形状の平面部１ａと、当該平面部１ａの端辺から略垂直に延設されいる環状の第一の側方部１ｂとを、有している。ここで、平面部１ａには、表示部１ｃが形成されている。
【００２０】
また、図２に示すように、金属フレーム１の第一側方部１ｂを構成する第一の面１ｄには、一つの開口部１ｅが形成されている。ここで、当該開口部１ｅは、液晶パネル３への光照射を行うライト（ライトユニット８）の挿通が可能である。なお、当該開口部１ｅは、第一の面１ｄの一方端付近に形成されている。
【００２１】
また、図２に示した金属フレーム１を、平面部１ａの法線を軸として１８０°回転させた様子を、図３に示す。
【００２２】
図３に示すように、金属フレーム１の第一の側方部１ｂを構成する第二の面１ｆには、二つの開口部１ｇ，１ｈが形成されている。ここで、第二の面１ｆは、第一の面１ｄに対向している。また、当該開口部１ｇ，１ｈは、液晶パネル３への光照射を行うライト（ライトユニット８）の挿通が可能である。なお、開口部１ｇ，１ｈは、第二の面１ｆの両端部付近に各々形成されている。
【００２３】
なお、金属フレーム１の第一の側方部１ｂを構成する他の面には、開口部は形成されていない。
【００２４】
また、金属フレーム２は、図１に示すように、外郭が方形状の平面部２ａと、当該平面部２ａの端辺から略垂直に延設されいる環状の第一の側方部２ｂとを、有している。
【００２５】
また、図１に示すように、金属フレーム２の第二側方部２ｂを構成する第三の面２ｃには、二つの開口部２ｄ，２ｅが形成されている。ここで、当該開口部２ｄ，２ｅは、液晶パネル３への光照射を行うライト（ライトユニット８）の挿通が可能である。なお、開口部２ｄ，２ｅは、第三の面２ｃの両端部付近に各々形成されている。また、第二の側方部２ｂを構成する他の面には、開口部は形成されていない。
【００２６】
また、液晶表示装置１００の組み立て状態（嵌め合わせ状態）において、金属フレーム１の第一の面１ｄまたは第二の面１ｆと、金属フレーム２の第三の面２ｃとは、対面する。
【００２７】
具体的に、両側ライト仕様で液晶表示装置を組み立てる場合には、上記第二の面１ｆと上記第三の面２ｃとが対面する。これに対して、片側ライト仕様で液晶表示装置を組み立てる場合には、上記第一の面１ｄと上記第三の面２ｃとが対面する（図１）。
【００２８】
また、液晶表示装置１００の組み立て状態（嵌め合わせ状態）において、上記第一の面１ｄに形成されている開口部１ｅまたは上記第二の面１ｆに形成されている開口部１ｇ，１ｈと、上記第三の面２ｃに形成されている開口部２ｄ，２ｅとが、略一致する。
【００２９】
具体的に、両側ライト仕様で液晶表示装置を組み立てる場合には、上記第二の面１ｆに形成されている開口部１ｇ，１ｈと、上記第三の面２ｃに形成されている開口部２ｄ，２ｅとが、略一致する。これに対して、片側ライト仕様で液晶表示装置を組み立てる場合には、上記第一の面１ｄに形成されている開口部１ｅと、上記第三の面２ｃに形成されている開口部２ｄ，２ｅのいずれか一方と、略一致する（図１では、開口部１ｅと開口部２ｄとが略一致する）。
【００３０】
また、樹脂フレーム４は、液晶表示装置１００の組み立て状態（嵌め合わせ状態）において、導光板６等の周辺部をその表側から覆う、フレームである。具体的に、図１に示すように、樹脂フレーム４と金属フレーム２との間には、複数の光学シート５、導光板６、反射シート７が配設されている。なお、樹脂フレーム４は、導光板６等の位置合わせ、位置固定等のために配設されている。
【００３１】
ここで、樹脂フレーム４は、外郭が方形状の平面部４ａと、当該平面部４ａの端辺から略垂直に延設されいる環状の側方部４ｂとから構成されている。また、平面部４ａには、光の透過が可能な透過部４ｃが形成されている。また、側方部４ｂを構成する一の面４ｄには、二つの開口部４ｇ，４ｈのみが形成されている。ここで、開口部４ｇ，４ｈは、ライト（ライトユニット８）の挿通が可能である。
【００３２】
なお、両側ライト仕様で液晶表示装置１００を組み立てた場合でも、片側ライト仕様で液晶表示装置１００を組み立てた場合でも、樹脂フレーム４の側方部４ｂを構成する面４ｄと、金属フレーム２の第三の面２ｃとは、対面する。また、樹脂フレーム４に形成されている開口部４ｇ，４ｈと、金属フレーム２に形成されている開口部２ｄ，２ｅとが、略一致する（図１）。
【００３３】
上記態様により、組み立てられた液晶表示装置１００の斜視図を、図４，５に示す。ここで、図４は、両側ライト仕様で液晶表示装置１００を組み立てた場合の図を示している。また、図５は、片側ライト仕様で液晶表示装置１００を組み立てた場合の図を示している。
【００３４】
具体的に、上記構成の各部品１〜８により、両側ライト仕様で液晶表示装置１００を組み立てた場合には、金属フレーム１の第二の面１ｆと金属フレーム２の第三の面２ｃとが面するように、金属フレーム１と金属フレーム２とを組み合わせる。ここで、樹脂フレーム４の側方部を構成する、開口部４ｇ，４ｈを有する面４ｄも、当該第二の面１ｆおよび第三の面２ｃと面している。
【００３５】
また、上記構成により、開口部１ｇ、開口部４ｇ、開口部２ｄは、略一致しており、開口部１ｈ、開口部４ｈ、開口部２ｅは、略一致している。
【００３６】
したがって、図４に示すように、金属フレーム１，２により構成される筐体の側面部１００ａには、内部まで貫通する二つの開口部１００ｂ，１００ｃのみが形成される。
【００３７】
ここで、図４に示す組み立て状態（嵌め合わせ状態）において、金属フレーム１の第一の面１ｄには、開口部１ｅが穿設されている。しかし、当該第一の面１ｄと面する、樹脂フレーム４の側方部および金属フレーム２の側方部２ｂには、開口部は穿設されていない。したがって、筐体の側面部１００ａに対向する側面部１００ｄには、内部まで貫通する開口部は形成されない。
【００３８】
つまり、図４に示す組み立て状態（嵌め合わせ状態）において、筐体の側面部に形成される、内部まで貫通する開口部は、側面部１００ａに形成される二つ（開口部１００ｂ、１００ｃ）のみである。そして、当該開口部１００ｂ，１００ｃに、ライトユニット８を各々挿通することにより、両側ライト仕様の液晶表示装置１００が完成する。
【００３９】
これに対して、上記構成の各部品１〜８により、片側ライト仕様で液晶表示装置１００を組み立てた場合には、金属フレーム１の第一の面１ｄと金属フレーム２の第三の面２ｃとが面するように、金属フレーム１と金属フレーム２とを組み合わせる。ここで、樹脂フレーム４の側方部を構成する、開口部４ｇ，４ｈを有する面４ｄも、当該第一の面１ｄおよび第三の面２ｃと面している。また、上記構成により、開口部１ｅ、開口部４ｇ、開口部２ｄは、略一致している。
【００４０】
したがって、図５に示すように、金属フレーム１，２により構成される筐体の側面部１００ｓには、内部まで貫通する一つの開口部１００ｔのみが形成される。
【００４１】
ここで、図５に示す組み立て状態（嵌め合わせ状態）において、金属フレーム１の第二の面１ｆには、開口部１ｇ，１ｈが穿設されている。しかし、当該第二の面１ｆと面する、樹脂フレーム４の側方部および金属フレーム２の側方部２ｂには、開口部は穿設されていない。したがって、筐体の側面部１００ｓに対向する側面部１００ｕには、内部まで貫通する開口部は形成されない。
【００４２】
つまり、図５に示す組み立て状態（嵌め合わせ状態）において、筐体の側面部に形成される、内部まで貫通する開口部は、側面部１００ｓに形成される一つ（開口部１００ｔ）のみである。そして、当該開口部１００ｔに、ライトユニット８を挿通することにより、片側ライト使用の液晶表示装置１００が完成する。
【００４３】
以上のように、本実施の形態に係わる液晶表示装置１００は、上記構成（上記各開口部）を有する金属フレーム１，２および樹脂フレーム４を有している。
【００４４】
したがって、樹脂フレーム４に形成されている開口部４ｇ，４ｈと、金属フレーム２に形成されている開口部２ｄ，２ｅとを一致させた状態において、金属フレーム１の組み立て方向を変えるだけで、同じ部品を用いて、両側ライト仕様の液晶表示装置または片側ライト使用の液晶表示装置を組み立てることができる。
【００４５】
また、図６（分解斜視図）に示す、従来技術に係わる液晶液晶表示装置２００の場合には、金属フレーム２０１，２０２および樹脂フレーム２０４は、以下のような構成であった。
【００４６】
つまり、金属フレーム２０１の側方部２０１ｂを構成する一の面においてのみ、二つの開口部２０１ｓ，２０１ｔが形成されていた。また、金属フレーム２０２の側方部２０２ｂを構成する一の面においてのみ、二つの開口部２０２ｓ，２０２ｔが形成されていた。また、樹脂フレーム２０４の側方部２０４ｂを構成する一の面においてのみ、二つの開口部２０４ｓ，２０４ｔが形成されていた。
【００４７】
上記構成の各フレーム２０１，２０２，２０４等を用いて、液晶表示装置２００を組み立てる（つまり、開口部２０１ｓ、開口部２０４ｓ、開口部２０２ｓが略一致させ、また開口部２０１ｔ、開口部２０４ｔ、開口部２０２ｔが略一致させる）。したがって、組み立て後の液晶表示装置２００には、図６に示すように、金属フレーム２０１，２０２により構成される筐体の側面部には、内部まで貫通する二つの開口部のみが形成される。
【００４８】
したがって、当該組み立て後の液晶表示装置２００を両側ライト仕様とする場合には、筐体の側面部に形成される二つの開口部は、共にライト（ライトユニット２０５）により、塞がれる。
【００４９】
しかし、当該組み立て後の液晶表示装置２００を片側ライト仕様とする場合には、筐体の側面部に形成される二つの開口部の内、一方の開口部はライト（ライトユニット２０５）により、塞がれない。したがって、筐体の側面部に形成される一方の開口部からの異物の進入を防ぐために、新たに、当該開口部を防ぐ部品が必要であった。
【００５０】
しかし、図５から分かるように、本実施の形態では、片側ライト仕様で液晶表示装置を組み立てたとしても、金属フレーム１の組み立て方向を定めるだけで、別部品を要すること無く、不必要な開口部を塞ぐことができる。このように、不必要な開口部を塞ぐ別部品を要さないので、製造コストの削減化を図ることができる。
【００５１】
なお、組み立て前の金属フレーム１を図７のように製造しても良い。つまり、金属フレーム１の側面部１ｂを構成する第二の面１ｆには、二つの開口部１ｇ，１ｈを穿設する。また、当該側面部１ｂを構成する第一の面１ｄには、前記開口部１ｇ，１ｈと対面する位置において、ミシン目１ｍを形成する。
【００５２】
図７に示す金属フレーム１を用いて、片側ライト仕様で液晶表示装置１００を組み立てる（つまり、金属フレーム１の第一の面１ｄと金属フレーム２の第三の面２ｃとが面するように、金属フレーム１と金属フレーム２とを組み合わせる）。その後、必要な箇所のミシン目１ｍを一箇所切り取る。このようにすることにより、本実施の形態に係わる片側ライト仕様の液晶表示装置１００が完成する。なお、組み立て前に、金属フレーム１のミシン目１ｍを一箇所切り取っても良い。
【００５３】
このように、製造直後の金属フレーム１の第一の面１ｄには、二箇所にミシン目１ｍが形成されている。
【００５４】
したがって、片側ライト仕様で液晶表示装置を組み立て後（または、組み立てる前）において、二つのミシン目１ｍの内、一方のミシン目１ｍを当該ミシン目に沿って切り取ることができる（図８または図９）。よって、液晶表示装置１００の組み立て前後において、第一の面１ｄのどちら側の端部付近にライト（ライトユニット８）の挿通を行うかを自由に選択することができる。
【００５５】
＜実施の形態２＞
本実施の形態に係わる液晶表示装置の分解斜視図を、図１０に示す。
【００５６】
図１０に示すように、本実施の形態に係わる液晶表示装置１５０は、金属フレーム２１、金属フレーム２、液晶パネル３、樹脂フレーム２２、複数の光学シート５、導光板６、反射シート７、およびライトユニット８により、構成されている。ここで、図１０は、片側ライト仕様として、液晶表示装置１５０を組み立てる場合を表している分解斜視図である。
【００５７】
金属フレーム２１，２により、液晶パネル３等を覆う、液晶表示装置１５０の筐体を構成している。したがって、当該液晶表示装置１５０の組み立て状態（嵌め合わせ状態）において、金属フレーム２１と金属フレーム２との間には、上記各部品３〜８が各々配設されている。
【００５８】
また、樹脂フレーム２２は、液晶表示装置１５０の組み立て状態（嵌め合わせ状態）において、導光板６等の周辺部をその表側から覆う、フレームである。具体的に、図１０に示すように、樹脂フレーム２２と金属フレーム２との間には、複数の光学シート５、導光板６、反射シート７が配設されている。なお、樹脂フレーム２２は、導光板６等の位置合わせ、位置固定等のために配設されている。
【００５９】
なお、実施の形態１で付した符号と同一の符号の部品は、実施の形態１で説明した内容と同じである。したがって、当該部品の説明は、ここでは省略する。
【００６０】
さて、はじめに、金属フレーム２１の構造について、詳しく説明する。図１１は、金属フレーム２１の構成を示す斜視図である。
【００６１】
金属フレーム２１は、図１１に示すように、外郭が方形状の平面部２１ａと、当該平面部２１ａの端辺から略垂直に延設されいる環状の側方部２１ｂとを、有している。ここで、平面部２１ａには、表示部２１ｃが形成されている。
【００６２】
また、図１１に示すように、金属フレーム２１の側方部２１ｂを構成する一の面２１ｄには、二つの開口部２１ｅ，２１ｆが形成されている。ここで、当該開口部２１ｅ，２１ｆは、液晶パネル３への光照射を行うライト（ライトユニット８）の挿通が可能である。なお、当該開口部２１ｅ，２１ｆは、一の面１ｄの両端部付近に形成されている。
【００６３】
なお、本実施の形態では、金属フレーム２１の側方部２１ｂを構成する他の面には、開口部は形成されていない。
【００６４】
また、両側ライト仕様で液晶表示装置１５０を組み立てた場合でも、片側ライト仕様で液晶表示装置１５０を組み立てた場合でも、金属フレーム２１の側方部２１ｂを構成する一の面２１ｄと、金属フレーム２の第三の面２ｃとは、対面する。また、金属フレーム２１に形成されている開口部２１ｅ，２１ｆと、金属フレーム２に形成されている開口部２ｄ，２ｅとが、略一致する（図１０）。
【００６５】
次に、樹脂フレーム２２の構造について、詳しく説明する。図１２は、樹脂フレーム２２の構成を示す斜視図である。
【００６６】
樹脂フレーム２２は、図１２に示すように、外郭が方形状の平面部２２ａと、当該平面部２２ａの端辺から略垂直に延設されいる環状の第一の側方部２２ｂとを、有している。ここで、平面部２２ａには、光の透過が可能な透過部２２ｃが形成されている。
【００６７】
また、図１２に示すように、樹脂フレーム２２の第一の側方部２２ｂを構成する第一の面２２ｄには、一つの開口部２２ｅが形成されている。ここで、当該開口部２２ｅは、液晶パネル３への光照射を行うライト（ライトユニット８）の挿通が可能である。なお、当該開口部２２ｅは、第一の面２２ｄの一方端付近に形成されている。
【００６８】
また、図１２に示した樹脂フレーム２２を、平面部２２ａの法線を軸として１８０°回転させた様子を、図１３に示す。
【００６９】
図１３に示すように、樹脂フレーム２２の第一の側方部２２ｂを構成する第二の面２２ｆには、二つの開口部２２ｇ，２２ｈが形成されている。ここで、第二の面２２ｆは、第一の面２２ｄに対向している。また、当該開口部２２ｇ，２２ｈは、液晶パネル３への光照射を行うライト（ライトユニット８）の挿通が可能である。なお、開口部２２ｇ，２２ｈは、第二の面１ｆの両端部付近に各々形成されている。
【００７０】
また、液晶表示装置１００の組み立て状態（嵌め合わせ状態）において、樹脂フレーム２２の第一の面２２ｄまたは第二の面２２ｆと、金属フレーム２の第三の面２ｃとは、対面する。
【００７１】
具体的に、両側ライト仕様で液晶表示装置を組み立てる場合には、上記第二の面２２ｆと上記第三の面２ｃとが対面する。これに対して、片側ライト仕様で液晶表示装置を組み立てる場合には、上記第一の面２２ｄと上記第三の面２ｃとが対面する（図１０）。
【００７２】
また、液晶表示装置１５０の組み立て状態（嵌め合わせ状態）において、上記第一の面２２ｄに形成されている開口部２２ｅまたは上記第二の面２２ｆに形成されている開口部２２ｇ，２２ｈと、上記第三の面２ｃに形成されている開口部２ｄ，２ｅとが、略一致する。
【００７３】
具体的に、両側ライト仕様で液晶表示装置を組み立てる場合には、上記第二の面２２ｆに形成されている開口部２２ｇ，２２ｈと、上記第三の面２ｃに形成されている開口部２ｄ，２ｅとが、略一致する。これに対して、片側ライト仕様で液晶表示装置を組み立てる場合には、上記第一の面２２ｄに形成されている開口部２２ｅと、上記第三の面２ｃに形成されている開口部２ｄ，２ｅのいずれか一方と、略一致する（図１０では、開口部２２ｅと開口部２ｄとが略一致する）。
【００７４】
上記態様により、組み立てられた液晶表示装置１５０の斜視図を、図１４，１５に示す。ここで、図１４は、両側ライト仕様で液晶表示装置１５０を組み立てた場合の図を示している。また、図１５は、片側ライト仕様で液晶表示装置１５０を組み立てた場合の図を示している。
【００７５】
具体的に、上記構成の各部品により、両側ライト仕様で液晶表示装置１５０を組み立てた場合には、樹脂フレーム２２の第二の面２２ｆと金属フレーム２の第三の面２ｃとが面するように、樹脂フレーム２２と金属フレーム２とを組み合わせる。ここで、金属フレーム２１の側方部を構成する、開口部２１ｅ，２１ｆを有する面２１ｄも、当該第二の面２２２ｆおよび第三の面２ｃと面している。
【００７６】
また、上記構成により、開口部２１ｅ、開口部２２ｅ、開口部２ｄは、略一致しており、開口部２１ｆ、開口部２２ｈ、開口部２ｅは、略一致している。
【００７７】
したがって、図１４に示すように、金属フレーム２１，２により構成される筐体の側面部１５０ａには、内部まで貫通する二つの開口部１５０ｂ，１５０ｃのみが形成される。
【００７８】
ここで、図１４に示す組み立て状態（嵌め合わせ状態）において、樹脂フレーム２２の第一の面２２ｄには、開口部２２ｅが穿設されている。しかし、当該第一の面２２ｄと面する、金属フレーム２１の側方部２１ｂおよび金属フレーム２の側方部２ｂには、開口部は穿設されていない。したがって、筐体の側面部１５０ａの対向する側面部１５０ｄには、内部まで貫通する開口部は形成されない。
【００７９】
つまり、図１４に示す組み立て状態（嵌め合わせ状態）において、筐体の側面部に形成される、内部まで貫通する開口部は、側面部１５０ａに形成される二つ（開口部１５０ｂ、１５０ｃ）のみである。そして、当該開口部１５０ｂ，１５０ｃに、ライトユニット８を各々挿通することにより、両側ライト仕様の液晶表示装置１５０が完成する。
【００８０】
これに対して、上記構成の各部品により、片側ライト仕様で液晶表示装置１５０を組み立てた場合には、樹脂フレーム２２の第一の面２２ｄと金属フレーム２の第三の面２ｃとが面するように、樹脂フレーム２２と金属フレーム２とを組み合わせる。ここで、金属フレーム２１の側方部を構成する、開口部２１ｅ，２１ｆを有する面２１ｄも、当該第一の面２２ｄおよび第三の面２ｃと面している。また、上記構成により、開口部２１ｅ、開口部２２ｅ、開口部２ｄは、略一致している。
【００８１】
したがって、図１５に示すように、金属フレーム２１，２により構成される筐体の側面部１５０ｓには、内部まで貫通する一つの開口部１５０ｔのみが形成される。
【００８２】
ここで、図１５に示す組み立て状態（嵌め合わせ状態）において、樹脂フレーム２２の第二の面２２ｆには、開口部２２ｇ．２２ｈが穿設されている。しかし、当該第二の面２２ｆと面する、金属フレーム２１の側方部２１ｂおよび金属フレーム２の側方部２ｂには、開口部は穿設されていない。
【００８３】
また、金属フレーム２１の側方部２１ｂを構成する一の面２１ｄには、二つの開口部２１ｅ，２１ｆが形成されている。しかし、樹脂フレーム２２の第一の面２２ｄには、上記開口部２１ｆに対応する位置に開口部は形成されていない。
【００８４】
以上により、筐体の側面部１５０ｓの対向する側面部１５０ｕには、内部まで貫通する開口部は形成されない。さらに、図１５に示すように、筐体の側面部１５０ｓに形成される、内部まで貫通する開口部は、一つ（開口部１５０ｔ）のみである。そして、当該開口部１５０ｔに、ライトユニット８を挿通することにより、片側ライト使用の液晶表示装置１５０が完成する。
【００８５】
以上のように、本実施の形態に係わる液晶表示装置１５０は、上記構成（上記各開口部）を有する金属フレーム２１，２および樹脂フレーム２２を有している。
【００８６】
したがって、金属フレーム２１に形成されている開口部２１ｅ，２１ｆと、金属フレーム２に形成されている開口部２ｄ，２ｅとを一致させた状態において、樹脂フレーム２２の組み立て方向を変えるだけで、同じ部品を用いて、両側ライト仕様の液晶表示装置または片側ライト使用の液晶表示装置を組み立てることができる。
【００８７】
また、図１５から分かるように、本実施の形態では、片側ライト仕様の液晶表示装置を組み立てたとしても、樹脂フレーム２２の組み立て方向を定めるだけで、別部品を要すること無く、不必要な開口部を塞ぐことができる。このように、不必要な開口部を塞ぐ別部品を要さないので、製造コストの削減化を図ることができる。
【００８８】
なお、組み立て前の樹脂フレーム２２を図１６のように製造しても良い。つまり、樹脂フレーム２２の側面部２２ｂを構成する第二の面２２ｆには、二つの開口部２２ｇ，２２ｈを穿設する。また、当該側面部２２ｂを構成する第一の面２２ｄには、前記開口部２２ｇ，２２ｈと対面する位置において、ミシン目２２ｍを形成する。
【００８９】
図１６に示す樹脂フレーム２２を用いて、片側ライト仕様で液晶表示装置１５０を組み立てる前に、必要な箇所のミシン目２２ｍを一箇所切り取る。その後、上記の通り、片側ライト仕様に応じて、各フレーム２１，２２，２を組み立てる。このようにすることにより、本実施の形態に係わる片側ライト仕様の液晶表示装置１５０が完成する。
【００９０】
このように、製造直後の樹脂フレーム２２の第一の面２２ｄには、二箇所にミシン目２２ｍが形成されている。
【００９１】
したがって、片側ライト仕様で液晶表示装置を組み立る前において、二つのミシン目２２ｍの内、一方のミシン目２２ｍを当該ミシン目に沿って切り取ることができる（図１７または図１８）。よって、液晶表示装置１５０を組み立てる際において、第一の面２２ｄのどちら側の端部付近にライト（ライトユニット８）の挿通を行うかを自由に選択することができる。
【図面の簡単な説明】
【００９２】
【図１】実施の形態１に係わる液晶表示装置の構成を示す分解斜視図である。
【図２】実施の形態１に係わる液晶表示装置が有する金属フレームの構成を示す斜視図である。
【図３】実施の形態１に係わる液晶表示装置が有する金属フレームの構成を示す斜視図である。
【図４】実施の形態１に係わる両側ライト仕様の液晶表示装置を示す斜視図である。
【図５】実施の形態１に係わる片側ライト仕様の液晶表示装置を示す斜視図である。
【図６】従来技術に係わる液晶表示装置の構成を示す分解斜視図である。
【図７】実施の形態１に係わる、ミシン目が形成された金属フレームを示す斜視図である。
【図８】金属フレームに形成された一方のミシン目を当該ミシン目に沿って切り取った様子を示す図である。
【図９】金属フレームに形成された他方のミシン目を当該ミシン目に沿って切り取った様子を示す図である。
【図１０】実施の形態２に係わる液晶表示装置の構成を示す分解斜視図である。
【図１１】実施の形態２に係わる液晶表示装置が有する金属フレームの構成を示す斜視図である。
【図１２】実施の形態２に係わる液晶表示装置が有する樹脂フレームの構成を示す斜視図である。
【図１３】実施の形態２に係わる液晶表示装置が有する樹脂フレームの構成を示す斜視図である。
【図１４】実施の形態２に係わる両側ライト仕様の液晶表示装置を示す斜視図である。
【図１５】実施の形態２に係わる片側ライト仕様の液晶表示装置を示す斜視図である。
【図１６】実施の形態２に係わる、ミシン目が形成された樹脂フレームを示す斜視図である。
【図１７】樹脂フレームに形成された一方のミシン目を当該ミシン目に沿って切り取った様子を示す図である。
【図１８】樹脂フレームに形成された他方のミシン目を当該ミシン目に沿って切り取った様子を示す図である。
【符号の説明】
【００９３】
１，２，２１  金属フレーム、３  液晶パネル、４，２２  樹脂フレーム、５  光学シート、６  導光板、７  反射シート、８  ライトユニット、１００，１５０  液晶表示装置、１ａ，２ａ，４ａ，２１ａ，２２ａ  平面部、１ｂ，２２ｂ  第一の側方部、１ｃ，２１ｃ  表示部、１ｄ，２２ｄ  第一の面、１ｅ，１ｇ，１ｈ，２ｄ，２ｅ，４ｇ，４ｈ，２１ｅ，２１ｆ，２２ｅ，２２ｇ，２２ｈ  開口部、１ｆ，２２ｆ  第二の面、１ｍ，２２ｍ  ミシン目、２ｂ  第二の側方部、２ｃ  第三の面、４ｂ，２１ｂ  側方部、４ｃ，２２ｃ  透過部。
【図１】
2006337779.tif 000003
【図２】
2006337779.tif 000004
【図３】
2006337779.tif 000005
【図４】
2006337779.tif 000006
【図５】
2006337779.tif 000007
【図６】
2006337779.tif 000008
【図７】
2006337779.tif 000009
【図８】
2006337779.tif 000010
【図９】
2006337779.tif 000011
【図１０】
2006337779.tif 000012
【図１１】
2006337779.tif 000013
【図１２】
2006337779.tif 000014
【図１３】
2006337779.tif 000015
【図１４】
2006337779.tif 000016
【図１５】
2006337779.tif 000017
【図１６】
2006337779.tif 000018
【図１７】
2006337779.tif 000019
【図１８】
2006337779.tif 000020